(57)【要約】【課題】コストを増加させることなく更なる品質の向上を図ることができる空気調和機の室外機を得る。【解決手段】空気調和機の室外機は、一端側６ｂに室内機からの冷媒配管が接続され、他端側６ｃに室外機の液側配管１１ａまたはガス側配管に接続される管継手部と、管継手部を挿入する挿入穴７ａが形成され、管継手部を室外機内部に取り付ける取り付け板７と、挿入穴７ａに貫通する管継手部の貫通部（回動阻止部６ａ）の外周部（側面６ａ１）に配置され、取り付け板７との対向面が挿入穴７ａを全周に渡って塞ぐ大きさに形成され、かつ、管継手部の貫通部（回動阻止部６ａ）が挿入穴７ａに貫通した状態で対向面が取り付け板７と密着する縁部６ｄと、を備える。【選択図】図５
2015203526.tif 000002
【特許請求の範囲】
【請求項１】
一端側に室内機からの冷媒配管が接続され、他端側に室外機の液側配管またはガス側配管に接続される管継手部と、
前記管継手部を挿入する挿入穴が形成され、前記管継手部を室外機内部に取り付ける取り付け板と、
前記挿入穴に貫通する前記管継手部の貫通部の外周部に配置され、前記取り付け板との対向面が前記挿入穴を全周に渡って塞ぐ大きさに形成され、かつ、前記管継手部の貫通部が前記挿入穴に貫通した状態で前記対向面が前記取り付け板と密着する縁部と、
を備えたことを特徴とする空気調和機の室外機。
【請求項２】
前記縁部は、前記管継手部の貫通部の外周部と一体に形成されていることを特徴とする請求項１に記載の空気調和機の室外機。
【請求項３】
前記縁部の外径側の側面には、この側面から外径側へ突出し、かつ、前記取り付け板に形成されたねじ穴から挿入されるねじが螺入されるねじ穴を有するねじ穴形成部が形成されていることを特徴とする請求項２に記載の空気調和機の室外機。
【請求項４】
前記縁部は、前記管継手部の貫通部の外周部に嵌め合わされる形状を成し、かつ、この外周部の全周を取り囲む環状に形成されていることを特徴とする請求項１に記載の空気調和機の室外機。
【請求項５】
前記管継手部の貫通部の外周部と一体に形成されて、この外周部から外径側へ突出し、かつ、前記取り付け板に形成されたねじ穴から挿入されるねじが螺入されるねじ穴を有するねじ穴形成部が形成されていることを特徴とする請求項４に記載の空気調和機の室外機。
【発明の詳細な説明】
【技術分野】
【０００１】
本発明は、空気調和機の室外機に関するものであり、特に室外機の配管接続部に位置するユニオン継手の構造に関するものである。
【背景技術】
【０００２】
従来の空気調和機の室外機では、液側配管の端部に接続された液側ユニオン継手とガス側配管の端部に接続されたガス側ユニオン継手とが、室外機の側面に設置された取り付け板に固定され、取り付け板に固定された液側ユニオン継手およびガス側ユニオン継手に各々接続される冷媒配管を介して室内機が室外機に接続される。このように構成された室外機では、取り付け板において液側ユニオン継手およびガス側ユニオン継手が貫通する箇所から室外機内部に水や異物など（以下「水など」）が浸入し、室外機内部に浸入した水などが室外機内部の電気部品の故障の原因となることから、何らかの改善が求められていた。
【０００３】
例えば下記特許文献１に示される従来のユニオン継手の取り付け構造では、断面多角形状の胴部と、その後方に位置し胴部の断面より幅広に形成された停止部とが設けられ、取り付け板に形成された取り付け穴にユニオン継手を挿入した上で、胴部に形成された停止部を前方の継手取り付け板と後方の継手押え板とによって挟み込むことで、ユニオン継手が固定される。
【０００４】
また、下記特許文献２に示される従来のユニオン継手の取り付け構造では、ユニオン継手の外周に溝部を設けて、径方向外方から押え板を取り付け板に沿ってスライドさせることで継手の溝部に挿入し、取り付け板と押え板を固定することでユニオン継手が固定される。
【先行技術文献】
【特許文献】
【０００５】
【特許文献１】特開２００８−１７５４０５号公報
【特許文献２】特開２０００−１７９８９６号公報
【発明の概要】
【発明が解決しようとする課題】
【０００６】
しかしながら、上記特許文献１の構造によれば、継手を後方の継手押え板と前方の取り付け板によって固定しているものの、取り付け板に形成された取り付け穴にユニオン継手を挿入した際、取り付け穴とユニオン継手との間に隙間が生じる。そのため取り付け板の外部の水などがこの隙間から室外機内部へ浸入する虞があるという課題があった。また、上記特許文献１の構造によれば、後方の継手押え板が必要であり、それを固定するための複数のねじも必要であるためコストの増加を招くという課題もあった。
【０００７】
また、上記特許文献２の構造によれば、ユニオン継手に設けられた溝部に沿って押え板をスライドさせて取り付ける構造のため、継手の全周を塞ぐことが出来ず、上記特許文献１の構造と同様に、取り付け板に形成された取り付け穴とユニオン継手との間の隙間から水などが浸入する虞があるという課題があった。また、上記特許文献２の構造によれば、２つのユニオン継手を１組として、１組のユニオン継手に対して１つの押え板が必要であるため、ユニオン継手の組数に応じて押え板が必要になるだけでなく、押え板を各ユニオン継手の溝部に挿入するように構成されているため、押え板とユニオン継手の構成が複雑になり、製作コストの増加を招くという課題もあった。
【０００８】
このように従来のユニオン継手の取り付け構造では、取り付け板に形成された取り付け穴とユニオン継手との間の隙間が水などの浸入経路となるため、コストを増加させることなく水などの浸入経路を遮断することで更なる品質の向上を図るというニーズに対応することができないという課題があった。
【０００９】
本発明は、上記に鑑みてなされたものであって、コストを増加させることなく更なる品質の向上を図ることができる空気調和機の室外機を得ることを目的とする。
【課題を解決するための手段】
【００１０】
上述した課題を解決し、目的を達成するために、本発明は、一端側に室内機からの冷媒配管が接続され、他端側に室外機の液側配管またはガス側配管に接続される管継手部と、前記管継手部を挿入する挿入穴が形成され、前記管継手部を室外機内部に取り付ける取り付け板と、前記挿入穴に貫通する前記管継手部の貫通部の外周部に配置され、前記取り付け板との対向面が前記挿入穴を全周に渡って塞ぐ大きさに形成され、かつ、前記管継手部の貫通部が前記挿入穴に貫通した状態で前記対向面が前記取り付け板と密着する縁部と、を備えたことを特徴とする。
【発明の効果】
【００１１】
この発明によれば、コストを増加させることなく更なる品質の向上を図ることができる、という効果を奏する。
【図面の簡単な説明】
【００１２】
【図１】図１は、本発明の実施の形態１に係る空気調和機の室外機と室外機に接続された複数の室内機との斜視図である。
【図２】図２は、図１に示される室外機の配管接続部の拡大図である。
【図３】図３は、図２に示される取り付け板と取り付け板に固定された複数のユニオン継手部を室外機の背面側から見た図である。
【図４】図４は、ユニオン継手部と取り付け板との分解斜視図である。
【図５】図５は、図３に示すＡ―Ａ矢視断面図である。
【図６】図６は、図５の符号Ｂで示される縁部と取り付け板との接触部の拡大図である。
【図７】図７は、本発明の実施の形態２に係る空気調和機の室外機に用いられるユニオン継手部の斜視図である。
【発明を実施するための形態】
【００１３】
以下に、本発明に係る空気調和機の室外機の実施の形態を図面に基づいて詳細に説明する。なお、この実施の形態によりこの発明が限定されるものではない。
【００１４】
実施の形態１．
図１は、本発明の実施の形態１に係る空気調和機の室外機１と室外機１に接続された複数の室内機３との斜視図である。図２は、図１に示される室外機１の配管接続部５の拡大図である。図３は、図２に示される取り付け板７と取り付け板７に固定された複数のユニオン継手部６を室外機１の背面側から見た図である。図４は、ユニオン継手部６と取り付け板７との分解斜視図である。図５は、図３に示すＡ―Ａ矢視断面図である。図６は、図５の符号Ｂで示される縁部６ｄと取り付け板７との接触部の拡大図である。
【００１５】
図１には例えば本発明の実施の形態１に係る空気調和機の一例としてマルチタイプ空気調和機の接続状態が示され、図示例では、１台の室外機１に冷媒配管２を介して４台の室内機３が接続されている。
【００１６】
室外機１は室外機１の外郭筐体である直方体形の外部パネル４を備え、外部パネル４は前面パネル４ａ、側面パネル４ｂ、天面パネル４ｃで構成され、前面パネル４ａには吹き出しグリル４ｄが取り付けられている。
【００１７】
脚部１０ａを有する底板１０の上面には仕切り板（図示せず）が立設され、仕切り板を境にして室外機１の内部が熱交換器と機械室とに区分される。熱交換器（図示せず）は、外部パネル４の背面の吸込グリル（図示せず）と吹き出しグリル４ｄとの間に形成され、熱交換器には室外ファン等が設置されている。
【００１８】
側面パネル４ｂは、機械室の側面と機械室の背面の一部とを覆うように断面Ｌ字状に形成され、室内機３の冷媒配管２を着脱する際に取り外される。図示例では配管接続部５の位置や形状を説明するため側面パネル４ｂの一部が省略された状態で示されている。
【００１９】
次に図２から図６を用いて液側ユニオン継手部６Ａおよびガス側ユニオン継手部６Ｂの構成を具体的に説明する。
【００２０】
図２に示すように室外機１の機械室側には、配管接続部５を構成する配管取り付け用の板（取り付け板７）が底板１０の上側に立設されている。取り付け板７には、液側ユニオン継手部６Ａとガス側ユニオン継手部６Ｂとから成る複数対のユニオン継手部６が、外部パネル４の背面側に向けて、上下方向に所定の間隔で設けられている。図示例の取り付け板７には、液側ユニオン継手部６Ａとガス側ユニオン継手部６Ｂが交互に配置され、計４本の液側ユニオン継手部６Ａと計４本のガス側ユニオン継手部６Ｂが設けられている。
【００２１】
室外機１の配管接続部５には、ガス分岐管１２と液分岐管１１が設けられており、液分岐管１１からは複数の電動膨張弁１３を介して液側配管１１ａが分岐され、ガス分岐管１２からは複数のガス側配管１２ａが分岐されている。そして各液側配管１１ａの先端には液側ユニオン継手部６Ａが取り付けられ、各ガス側配管１２ａの先端にはガス側ユニオン継手部６Ｂが取り付けられている。なお、ガス分岐管１２には、図示しないガス本管を介して四路切換弁の一方の接続ポートが接続され、液分岐管１１には、図示しない液本管を介して四路切換弁の他方の接続ポートが接続されている。
【００２２】
図２および図３に示されるように、取り付け板７に設置された液側ユニオン継手部６Ａには、冷媒配管２を構成する液管が接続され、取り付け板７に設置されたガス側ユニオン継手部６Ｂには、冷媒配管２を構成するガス管を介して室内機３が接続される。
【００２３】
図４および図５に示されるように液側ユニオン継手部６Ａは、断面多角形状の回動阻止部６ａと、回動阻止部６ａの一端側６ｂ（外部パネル４の背面側）に形成され冷媒配管２が接続される頭部６ｇと、回動阻止部６ａの他端側６ｃ（外部パネル４の反背面側）の外周部に形成された断面多角形状の縁部６ｄとを有して構成されている。
【００２４】
頭部６ｇは、円筒状に形成され、内周側に形成され軸方向に貫通する貫通穴６ｋと、外周側に形成された雄ねじ６ｆとを有する。
【００２５】
回動阻止部６ａの内径側には、貫通穴６ｋと連通すると共に液側配管１１ａの先端部が嵌合する貫通穴６ｍが形成されている。
【００２６】
縁部６ｄは、その外径側の側面６ｄ１が、回動阻止部６ａの外径側の側面６ａ１よりも径方向外側に位置し、かつ、縁部６ｄの取り付け板７側の面（取り付け板７の反背面側面７ｄとの対向面６ｄ２）が取り付け板７の挿入穴７ａを全周に渡って塞ぐ大きさに形成されている。
【００２７】
さらに縁部６ｄの外径側の側面６ｄ１には、この側面６ｄ１から外径側へ突出するねじ穴形成部６ｈが形成されている。ねじ穴形成部６ｈにはねじ穴６ｅが形成され、ねじ穴６ｅには、取り付け板７に形成されたねじ穴７ｂから挿入されたねじ８が螺入される。
【００２８】
取り付け板７には、回動阻止部６ａと同形状に形成された複数の挿入穴７ａが形成されている。挿入穴７ａの近傍には、図４に示されるように取り付け板７の背面側面７ｃから挿入されるねじ８用のねじ穴７ｂが設けられている。取り付け板７の反背面側面７ｄに縁部６ｄが接した状態でねじ穴７ｂにねじ８が挿入され、ねじ穴７ｂに挿入されたねじ８は、縁部６ｄに形成されたねじ穴形成部６ｈのねじ穴６ｅに螺入される。このことで液側ユニオン継手部６Ａおよびガス側ユニオン継手部６Ｂが取り付け板７と一体に固定される。
【００２９】
こうして組み立てられた液側ユニオン継手部６Ａおよびガス側ユニオン継手部６Ｂには図１に示すように各室内機３に取り付けた冷媒配管２が接続される。すなわち、液側ユニオン継手部６Ａおよびガス側ユニオン継手部６Ｂの頭部６ｇの先端に、冷媒配管２のフレア拡管部（図示せず）を当接し、冷媒配管２側の袋ナットを回転させて頭部６ｇの雄ねじ６ｆに螺合することで、液側ユニオン継手部６Ａと冷媒配管２を接続すると共に、ガス側ユニオン継手部６Ｂと冷媒配管２を接続する。
【００３０】
この際、取り付け板７に設けた挿入穴７ａは回動阻止部６ａの外径側の側面６ａ１と同一形状に形成され、かつ、ねじ穴形成部６ｈを設けたので、冷媒配管２の袋ナットを回転させて冷媒配管２を頭部６ｇに取り付けても、液側ユニオン継手部６Ａおよびガス側ユニオン継手部６Ｂが回転したり捻れたりすることがなく、軸方向に移動することもない。
【００３１】
ここで図５に示すように回動阻止部６ａを挿入穴７ａに挿入するためには、図６に示すように、取り付け板７の挿入穴７ａと回動阻止部６ａの外径側の側面６ａ１との間にクリアランス（隙間９）を設ける必要がある。前述した従来の構造では、本実施の形態に係る縁部６ｄを有していないため、この隙間９が水などの浸入経路となり、室外機１の外部の水などがこの隙間９を通じて機内へ浸入する虞があった。それに対して本実施の形態では、回動阻止部６ａの他端側６ｃに形成された縁部６ｄの取り付け板７側の面（対向面６ｄ２）が取り付け板７の挿入穴７ａの周囲に全周に渡り密着するため、水などの浸入経路を効果的に遮断することができる。
【００３２】
なお、本実施の形態では、縁部６ｄの外径側の側面６ｄ１に、１つのねじ穴形成部６ｈが形成されているが、ねじ穴形成部６ｈの数は１つに限定されるものではなく、２以上であってもよい。例えば、回動阻止部６ａの軸中心６ｎに対して対称な位置に複数のねじ穴形成部６ｈを設けると共に、取り付け板７には各ねじ穴形成部６ｈのねじ穴６ｅに対応する位置にねじ穴７ｂが形成されることによって、複数のねじ８で縁部６ｄを取り付け板７に固定することができる。このことにより、ねじ穴形成部６ｈが１つ形成されている場合に比べて、液側ユニオン継手部６Ａおよびガス側ユニオン継手部６Ｂを取り付け板７へ一層堅牢に固定することができるだけでなく、縁部６ｄの対向面６ｄ２が取り付け板７の挿入穴７ａの周囲に全周に渡り均等に密着するため、浸入経路をより効果的に遮断することができる。
【００３３】
また、図示例の回動阻止部６ａは、液側ユニオン継手部６Ａへ冷媒配管２を構成する液管を接続する際、ダブルスパナなどのクランプ手段で固定するためにその断面が略六角形状に形成されているが、回動阻止部６ａの形状はこれに限定されるものではない。
【００３４】
また、本実施の形態では図４に示されるガス側ユニオン継手部６Ｂの符号を省略している。ガス側ユニオン継手部６Ｂは液側ユニオン継手部６Ａと同様に構成されているものとする。なお、液側ユニオン継手部６Ａとガス側ユニオン継手部６Ｂとの相違点は、ガス側ユニオン継手部６Ｂでは、その貫通穴６ｍにガス側配管１２ａの先端部が嵌合する点と、その頭部６ｇに冷媒配管２を構成するガス管が接続される点である。
【００３５】
また本実施の形態では、サイドフロー方式の室外機１の配管接続部５を例にして説明したが、本実施の形態に係る液側ユニオン継手部６Ａおよびガス側ユニオン継手部６Ｂの構造はトップフロー方式の室外機の配管接続部にも適用可能である。
【００３６】
また、本実施の形態では、縁部６ｄの外径側の側面６ｄ１に、ねじ穴６ｅを有するねじ穴形成部６ｈが設けられているが、例えば、このねじ穴形成部６ｈの代わりに、ねじ８の雄ねじ部に相当するねじ部を有するねじ形成部を用いてもよい。すなわち、縁部６ｄの外径側の側面６ｄ１に、ねじ部を有するねじ形成部を形成し、取り付け板７のねじ穴７ｂにこのねじ形成部のねじ部を挿入して、取り付け板７の背面側面７ｃにこのねじ部を貫通させ、ねじ部にナットを締めることで図４に示される液側ユニオン継手部６Ａおよびガス側ユニオン継手部６Ｂと同様の効果を得ることができる。
【００３７】
以上に説明したように本実施の形態に係る空気調和機の室外機１は、一端側６ｂに室内機３からの冷媒配管２が接続され、他端側６ｃに室外機１の液側配管１１ａまたはガス側配管１２ａに接続される管継手部（液側ユニオン継手部６Ａ、ガス側ユニオン継手部６Ｂ）と、管継手部を挿入する挿入穴７ａが形成され、管継手部を室外機内部に取り付ける取り付け板７と、挿入穴７ａに貫通する管継手部の貫通部（回動阻止部６ａ）の外周部（側面６ａ１）に配置され、取り付け板７との対向面６ｄ２が挿入穴７ａを全周に渡って塞ぐ大きさに形成され、かつ、管継手部の貫通部（回動阻止部６ａ）が挿入穴７ａに貫通した状態で対向面６ｄ２が取り付け板７と密着する縁部６ｄと、を備える。取り付け板７の挿入穴７ａと貫通部（回動阻止部６ａ）との間に形成された隙間９が水などの浸入経路となるが、本実施の形態の構成によれば、回動阻止部６ａの他端側６ｃに形成された縁部６ｄの取り付け板７側の面（対向面６ｄ２）が取り付け板７の挿入穴７ａの周囲に全周に渡り密着するため、浸入経路を遮断することができる。
【００３８】
また本実施の形態の縁部６ｄは、管継手部（液側ユニオン継手部６Ａ、ガス側ユニオン継手部６Ｂ）の貫通部（回動阻止部６ａ）の外周部（側面６ａ１）と一体に形成されているため、水などの浸入経路を遮断することができると共に、後述する実施の形態２に係る管継手部に比べて部品点数が少ないため組立工数を低減することができる。
【００３９】
また本実施の形態の縁部６ｄの外径側の側面６ｄ１には、この側面から外径側へ突出し、かつ、取り付け板７に形成されたねじ穴７ｂから挿入されるねじ８が螺入されるねじ穴６ｅを有するねじ穴形成部６ｈが形成されている。このことにより、冷媒配管２の袋ナットを回転させて冷媒配管２を頭部６ｇに取り付けても、液側ユニオン継手部６Ａおよびガス側ユニオン継手部６Ｂが回転したり捻れたりすることがなく、軸方向に移動することもない。また、ねじ穴７ｂに挿入されるねじ８をねじ穴形成部６ｈのねじ穴６ｅに螺入することで液側ユニオン継手部６Ａおよびガス側ユニオン継手部６Ｂを取り付け板７に固定することができるため、前述した特許文献１の構造のような継手押え板やそれを固定するための複数のねじが不要になり、また前述した特許文献２の構造のようなスライド式の複数の押え板などが不要になる。従って、これらの部品の製造コストを抑えることができると共に構造が簡素化されるため、室外機１の信頼性の向上を図ることができ、室外機１を構成する部品の製造時の歩留りが向上し、当該部品の原材料の減容化や包装の減量化を図ることができる。
【００４０】
実施の形態２．
図７は、本発明の実施の形態２に係る空気調和機の室外機１に用いられるユニオン継手部（液側ユニオン継手部６０Ａ）の斜視図である。実施の形態１との相違点は、実施の形態１では縁部６ｄが回動阻止部６ａの側面６ａ１と一体に形成されているのに対して、実施の形態２では縁部６０ｄとは別体で製作された回動阻止部６０ａが縁部６０ｄに嵌め合わされるように構成されている点である。なお、図７では一例として液側ユニオン継手部６０Ａのみ示されているが、ガス側ユニオン継手部６Ｂも同様に構成されているものとする。以下、実施の形態１と同一部分には同一符号を付してその説明を省略し、ここでは異なる部分についてのみ述べる。
【００４１】
図７に示される液側ユニオン継手部６０Ａは、断面多角形状の回動阻止部６０ａと、回動阻止部６０ａの一端側６０ｂに形成され冷媒配管２が接続される頭部６０ｇと、回動阻止部６０ａの他端側６０ｃの外径側の側面６０ａ１と一体に形成されたねじ穴形成部６０ｈと、縁部６０ｄとを有して構成されている。
【００４２】
頭部６０ｇは、円筒状に形成され、内周側に形成され軸方向に貫通する貫通穴６０ｋと、外周側に形成された雄ねじ６０ｆとを有する。回動阻止部６０ａの内径側には、実施の形態１の回動阻止部６ａと同様に、貫通穴６０ｋと連通すると共に液側配管１１ａの先端部が嵌合する貫通穴（図示せず）が形成されている。
【００４３】
ねじ穴形成部６０ｈにはねじ穴６０ｅが形成され、ねじ穴６０ｅには、取り付け板７に形成されたねじ穴７ｂから挿入されたねじ８が螺入される。また、ねじ穴形成部６０ｈには凹部６０ｊが形成され、この凹部６０ｊは、ねじ穴６０ｅと回動阻止部６０ａの側面６０ａ１との間に位置し、かつ、一端側６０ｂから他端側６０ｃ側に向けて窪むように形成されている。
【００４４】
縁部６０ｄは、その外径側の側面６０ｄ１が、回動阻止部６０ａの外径側の側面６０ａ１よりも径方向外側に位置し、かつ、縁部６０ｄの取り付け板７側の面（取り付け板７の反背面側面７ｄとの対向面６０ｄ４）が取り付け板７の挿入穴７ａを全周に渡って塞ぐ大きさに形成されている。また縁部６０ｄは、その内側面６０ｄ２が回動阻止部６０ａの外周面と同形状に形成されている。
【００４５】
また縁部６０ｄは、その反対向面６０ｄ３のねじ穴形成部６０ｈと対向する位置に凹部６０ｄ５が形成されている。この凹部６０ｄ５は、反対向面６０ｄ３側から対向面６０ｄ４側に向けて窪むように形成されている。
【００４６】
凹部６０ｄ５の底部６０ｄ６が凹部６０ｊの底部６０ｉと接するようにして縁部６０ｄの内径側に回動阻止部６０ａを挿入することで、縁部６０ｄが回動阻止部６０ａへ組み付けられる。
【００４７】
このようにして組み立てられた液側ユニオン継手部６０Ａが取り付け板７の挿入穴７ａに挿入されることで、取り付け板７の反背面側面７ｄに縁部６０ｄが接する。この状態でねじ穴７ｂにねじ８が挿入され、ねじ穴７ｂに挿入されたねじ８がねじ穴形成部６０ｈのねじ穴６０ｅに螺入されことで液側ユニオン継手部６０Ａが取り付け板７と一体に固定される。実施の形態１のユニオン継手部６と同様に、取り付け板７の挿入穴７ａと回動阻止部６０ａの外径側の側面６０ａ１との間には隙間９ができるため、この隙間９が水などの浸入経路となるが、縁部６０ｄの対向面６０ｄ４が全周に渡り取り付け板７と均等に密着するため、隙間９からの水などの浸入経路を効果的に遮断することができる。
【００４８】
なお、実施の形態２では縁部６０ｄが回動阻止部６０ａと別体で製作されるため、縁部６０ｄを回動阻止部６０ａへ組み付けた際、縁部６０ｄの内側面６０ｄ２と回動阻止部６０ａの側面６０ａ１との間に隙間が生じてこの隙間が水などの浸入経路になるようにも思われるが、例えば縁部６０ｄの内側面６０ｄ２を、対向面６０ｄ４側から反対向面６０ｄ３側に向けて拡径し、かつ、対向面６０ｄ４側の内側面６０ｄ２が回動阻止部６０ａの側面６０ａ１と接するように形成した上で、縁部６０ｄを回動阻止部６０ａへ圧入するように組み付けることでこのような隙間を防ぐことができる。その他の対策としては、例えば回動阻止部６０ａの側面６０ａ１を全周覆うように、弾性を有するシール材を所望の厚みとなるように巻き付けた上で、縁部６０ｄを回動阻止部６０ａへ圧入するように組み付けることでも、このような隙間を防ぐことができる。
【００４９】
以上に説明したように本実施の形態に係る管継手部（例えば液側ユニオン継手部６０Ａ）では、縁部６０ｄが、管継手部の貫通部（回動阻止部６０ａ）の外周部（側面６０ａ１）に嵌め合わされる形状を成し、かつ、この外周部の全周を取り囲む環状に形成されている。この構成により、縁部６０ｄの対向面６０ｄ４が取り付け板７の挿入穴７ａの周囲に全周に渡り密着するため、実施の形態１と同様に水などの浸入経路を遮断することができると共に、実施の形態１のように回動阻止部６ａに縁部６ｄを形成するための加工費を低減することができる。
【００５０】
また管継手部の貫通部の外周部には、この外周部と一体に形成されて、この外周部から外径側へ突出し、かつ、取り付け板７に形成されたねじ穴７ｂから挿入されるねじ８が螺入されるねじ穴６０ｅを有するねじ穴形成部６０ｈが形成されている。このことにより、冷媒配管２の袋ナットを回転させて冷媒配管２を頭部６０ｇに取り付けても、液側ユニオン継手部６０Ａが回転したり捻れたりすることがなく、軸方向に移動することもない。また、ねじ穴７ｂに挿入されるねじ８をねじ穴形成部６０ｈのねじ穴６０ｅに螺入することで液側ユニオン継手部６０Ａを取り付け板７に固定することができるため、前述した特許文献１の構造のような継手押え板やそれを固定するための複数のねじが不要になり、また前述した特許文献２の構造のようなスライド式の複数の押え板などが不要になる。従って、これらの部品の製造コストを抑えることができると共に構造が簡素化されるため、室外機１の信頼性の向上を図ることができ、室外機１を構成する部品の製造時の歩留りが向上し、当該部品の原材料の減容化や包装の減量化を図ることができる。
【００５１】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【００５２】
以上のように、本発明は、空気調和機の室外機に適用可能であり、特に、コストを増加させることなく更なる品質の向上を図ることができる発明として有用である。
【符号の説明】
【００５３】
１  室外機、２  冷媒配管、３  室内機、４  外部パネル、４ａ  前面パネル、４ｂ  側面パネル、４ｃ  天面パネル、４ｄ  吹き出しグリル、５  配管接続部、６  ユニオン継手部（管継手部）、６Ａ  液側ユニオン継手部（管継手部）、６Ｂ  ガス側ユニオン継手部（管継手部）、６ａ  回動阻止部（貫通部）、６ａ１  側面（外周部）、６ｂ  一端側、６ｃ  他端側、６ｄ  縁部、６ｄ１  側面、６ｄ２  対向面、６ｅ  ねじ穴、６ｆ  雄ねじ、６ｇ  頭部、６ｈ  ねじ穴形成部、６ｋ，６ｍ  貫通穴、６ｎ  軸中心、７  取り付け板、７ａ  挿入穴、７ｂ  ねじ穴、７ｃ  背面側面、７ｄ  反背面側面、８  ねじ、９  隙間、１０  底板、１０ａ  脚部、１１  液分岐管、１１ａ  液側配管、１２  ガス分岐管、１２ａ  ガス側配管、１３  電動膨張弁、６０Ａ  液側ユニオン継手部（管継手部）、６０ａ  回動阻止部（貫通部）、６０ａ１  側面（外周部）、６０ｂ  一端側、６０ｃ  他端側、６０ｄ  縁部、６０ｄ１  外側面、６０ｄ２  内側面、６０ｄ３  反対向面、６０ｄ４  対向面、６０ｄ５  凹部、６０ｄ６  底部、６０ｅ  ねじ穴、６０ｆ  雄ねじ、６０ｇ  頭部、６０ｈ  ねじ穴形成部、６０ｉ  底部、６０ｊ  凹部、６０ｋ  貫通穴。
【図２】
2015203526.tif 000003
【図３】
2015203526.tif 000004
【図４】
2015203526.tif 000005
【図５】
2015203526.tif 000006
【図６】
2015203526.tif 000007
【図７】
2015203526.tif 000008
【図１】
2015203526.tif 000009